(57)【特許請求の範囲】
【請求項１】
ブラケット本体と可動ウィングとを備えるリンガルブラケットにおいて、前記ブラケット本体は、その下面上に滑り止めパターンを備えたブラケット座および前記ブラケット座の端部上に一体的にかつ突出して設けられている固定ウィングを含み、前記固定ウィングの中心軸に沿って貫通孔が配置されており、前記可動ウィングは、一方の端部にアーチワイヤフック、他方の端部に固定部を有し、前記可動ウィングの前記固定部は、前記固定ウィングの前記貫通孔を通過し、前記貫通孔を通過する可動ウィングの部分上にばねがスリーブ状に嵌まっており、一端は前記固定ウィングに当接して係合されており、他端は前記可動ウィングの前記固定部上に保持されていることを特徴とするリンガルブラケット。
【請求項２】
前記可動ウィングは、前記アーチワイヤフックの背部から反対方向に延在している結束フックと一体化されているアーチワイヤフックを有し、前記固定ウィングは、前記ブラケット座に対向している側部において結束ウィングと一体化されていることを特徴とする請求項１に記載のリンガルブラケット。
【請求項３】
前記可動ウィングの前記固定部は溝穴部であり、前記ばねは全体的に回転して前記溝穴部の側縁部上にスリーブ状に嵌まっていることを特徴とする請求項１または２に記載のリンガルブラケット。
【請求項４】
前記可動ウィングの前記固定部は、前記ばねの一端を押圧することができる変形した曲げ部であることを特徴とする請求項１または２に記載のリンガルブラケット。
【請求項５】
前記可動ウィングの前記固定部は、変形し反対方向に外側に曲がることができ、その結果、前記ばねの一端を、二又の曲げ部に係合し保持することができる、二又構造であることを特徴とする請求項１または２に記載のリンガルブラケット。
【請求項６】
前記可動ウィングの前記固定部は貫通孔であり、前記ばねの一端は前記貫通孔を通過して保持されることが可能であることを特徴とする請求項１または２に記載のリンガルブラケット。
【請求項７】
前記固定ウィングから離れている前記ブラケット座の遠位端は補助的管状孔を備えて配置されていることを特徴とする請求項１または２に記載のリンガルブラケット。
【請求項８】
前記ブラケット本体の前記ブラケット座および前記可動ウィングはどちらも、舌側歯表面に適合するアーチ構造であることを特徴とする請求項１または２に記載のリンガルブラケット。
【請求項９】
前記可動ウィングの前記アーチワイヤフックは、前記アーチワイヤフックの背部に溝部および結束フックと共に整然と配置されていることを特徴とする請求項１または２に記載のリンガルブラケット。
【発明の詳細な説明】
【技術分野】
【０００１】
本発明は医療器具の分野に関し、さらに詳細には、歯列矯正リンガルブラケットに関する。
【背景技術】
【０００２】
従来技術の歯列矯正ブラケットは、その上面上に突出して配置されている２つの側方ウィング、およびその下面の滑り止めパターンを備えたブラケット座を有する本体と、２つの側方ウィング間に形成されている、アーチワイヤを受容する溝部とを有する。２つの側方ウィングは、本体の２つの側部に対称的に配設されており、ウィングの中央平面はブラケット座の中央平面と一致し、したがって、安定したユニットを形成する。見えない舌側歯列矯正技術が１９７０年代に出現し、器具のブラケットが歯の舌側に固定され、うまく隠れ、外見および社会活動に影響を及ぼさないであろうという理由で、非常に多数の患者、特に大人から、高い支持を受けている。しかし、歯の舌側、特に歯の厚さ（歯の突出距離）およびトルク角には大きな個人差が生じたので、従来のリンガルブラケットは固定された溝部を使用している。ブラケットの底部の厚さおよび所定のトルク角は変更不可能なので、このブラケットは個々の歯にほとんど適合しない可能性がある。医師は、アーチワイヤを大幅に曲げて、その差異を臨床的に補償しなければならない。しかし、舌側の視覚および口腔内空間等が限られることにより、アーチワイヤを曲げることで個人に合わせた適合を達成することは非常に困難であるため、医師が臨床的に使用し広めることが妨げられ、さらに、医療コストは歯表面の歯列矯正治療よりずっと高くなる。
【発明の概要】
【発明が解決しようとする課題】
【０００３】
歯列矯正舌側治療に適したブラケットを開発することが、本発明の目的となる。
【課題を解決するための手段】
【０００４】
本発明の主要目的は、可動ウィングとブラケット本体との間で枢動して、ばねのばね力によりもたらされる一定の歯列矯正力をかけるばねを有するリンガルブラケットを提供することである。
【０００５】
本発明の構想は以下の通り達成される。ブラケット本体と可動ウィングとを含むリンガルブラケットにおいて、ブラケット本体は、その下面上に滑り止めパターンを備えたブラケット座、およびブラケット座の一方の端部上に一体的にかつ突出して設けられている固定ウィングを含み、貫通孔が固定ウィングの中心軸に沿って配置されており、可動ウィングが、一方の端部にアーチワイヤフック、他方の端部に固定部を有し、可動ウィングの固定部は、固定ウィングの貫通孔を通過し、この貫通孔を通過する可動ウィングの部分上にばねがスリーブ状に嵌まっており（ｓｌｅｅｖｅｓ  ｏｎ）、一端が固定ウィングに当接して係合されており、他端が固定ウィングの固定部上に保持されていることを特徴とするリンガルブラケット。可動ウィングのアーチワイヤフックは、アーチワイヤを留めて、ばねによりもたらされる一定の矯正力によりアーチワイヤの所定の型に従って歯を矯正することができる。
【０００６】
可動ウィングは、アーチワイヤフックの背部から反対方向に延在している結束フック（ｔｉｅ  ｈｏｏｋ）を一体的に備えたアーチワイヤフックを有し、固定ウィングは、ブラケット座に対向している側部において結束ウィング（ｔｉｅ  ｗｉｎｇ）と一体化されている。結束ウィングは、可動ウィングの側部において結束フックと協働して、弾性結束リング（ｔｉｅ  ｒｉｎｇ）が結合するための完全なウィングを形成する。
【０００７】
可動ウィングの固定部は、以下のいくつかの構造の１つとすることができる。
【０００８】
可動ウィングの固定部はＴ形頭部に機械加工され、ばねの一端は、このＴ形頭部に当接して係合することができる。
【０００９】
可動ウィングの固定部は、ばねの一端を押圧することができる変形した曲げ部である。
【００１０】
可動ウィングの固定部は、変形し反対方向に外側に曲がることができ、その結果、ばねの一端を二又の曲げ部において係合し保持することができる、二又構造である。
【００１１】
可動ウィングの固定部は貫通孔であり、ばねの一端は、この貫通孔を通過して保持されることが可能である。
【００１２】
固定ウィングから離れているブラケット座の遠位端は、高弾性アーチワイヤが通過することを直接可能にすることができる補助的管状孔を備えて配置されており、補助的管状孔は歯の表面に近接して配置されるので、歯の整列を促進することができる。
【００１３】
ブラケット本体のブラケット座および可動ウィングはどちらも、舌側歯表面に適合するアーチ構造であり、歯表面に固定して適合することが可能であるばかりでなく、より大きな歯列矯正力をもたらすことができる。
【００１４】
可動ウィングのアーチワイヤフックは、アーチワイヤフックの背部に溝部および結束フックと共に整然と配置されている。この溝部は、アーチワイヤと協働して、水平歯列矯正力を生じさせる。
【００１５】
本発明は、可動ウィングとブラケット本体との間で枢動しかつ歯に一定のばね力をかけるばねを有し、それにより、弾性結束リングによりもたらされる力の減衰傾向および制御不可能な量を回避してより大きな位置異常の歯列矯正を実現し、かつアーチワイヤを頻繁に交換することおよび結束リングを再度作製することを回避して効率性を向上させる、より大きな変形ストローク（ｄｅｆｏｒｍａｔｉｏｎ  ｓｔｒｏｋｅ）、長期間に亘るより円滑な歯列矯正力をもたらすことができる。さらに、ばねの存在は、結合されるかまたは唾液に浸されたことにより膨張すると同時に引っ張り変形（ｐｕｌｌｉｎｇ  ｄｅｆｏｒｍａｔｉｏｎ）に起因して、従来の結束リングの所定の弾性力を損失するという欠点を克服することができる。さらに、可動ウィングおよびブラケット本体はそれぞれ、互いに協働しかつ結束される弾性結束リングのための場所を提供することができる結束ウィングおよび結束フックと共に配置される。歯列矯正力をかけるために、あるいは、歯列矯正治療に依存する、またはそれに合わせた（ｄｅｐｅｎｄｉｎｇ  ｏｎ  ｔｈｅ  ｏｒ  ｔｏ  ｔｈｅ  ｏｒｔｈｏｄｏｎｔｉｃ  ｔｈｅｒａｐｙ）方法では、歯列矯正効率をさらに強化するために、ばねおよび弾性結束ばねを単独でまたは組み合わせて使用することができる。さらに、ブラケット本体に配置されている補助的管状孔は歯表面により近接しており、高弾性アーチワイヤを用いるので、歯を整列させ、したがって有益な効果を達成することがより容易である。
【図面の簡単な説明】
【００１６】
以下、本発明を示すために図を組み込むことによりさらに説明する。
【図１】リンガルブラケットの斜視簡略図である。
【図２】リンガルブラケットの横断面簡略図である。
【図３】結束ウィングを備えたリンガルブラケットの斜視簡略図である。
【図４】結束ウィングを備えたリンガルブラケットの横断面簡略図である。
【図５】結束ウィングを備えた、動作中のリンガルブラケットの概略図である。
【図６】第１の実施形態の可動ウィングの斜視簡略図である。
【図７】第２の実施形態の可動ウィングの斜視簡略図である。
【図８】第３の実施形態の可動ウィングの斜視簡略図である。
【図９】第４の実施形態の可動ウィングの斜視簡略図である。
【図１０】第５の実施形態の可動ウィングの斜視簡略図である。
【図１１】溝部を備えた、動作中のリンガルブラケットの概略図である。
【発明を実施するための形態】
【００１７】
図１および図２を参照すると、リンガルブラケットは、その下面上の滑り止めパターンを備えたブラケット座１１、およびブラケット座１１の端部上に一体的にかつ突出して設けられている固定ウィング１２を含むブラケット本体１と、可動ウィング２とを含む。可動ウィング２が枢動する固定ウィング１２の中心軸に沿って、貫通孔１３が配置されている。固定ウィング１２から離れた、ブラケット座１１の遠位端が、補助的管状孔１４を備えて配置されている。可動ウィング２は、一方の端部にあるアーチワイヤフック２１と、ばね３の一端を制限するかまたは保持するのに使用される他方の端部にある固定部２２を有する。可動ウィング２の固定部端部は、固定ウィング１２の貫通孔１３を通過することができ、ばね３は、貫通孔１３を通過する可動ウィング２の部分上にスリーブ状に嵌まっており、ばね３の一端は固定ウィング１２に当接しており、一方、他端は可動ウィング２の固定部２２上に保持されている。臨床的に、ブラケット座１１によりブラケット本体１を舌側歯表面に固定し、固定ウィング１２が下方を向くように保ち、次いで、可動ウィング２の固定部２２に固定ウィング１２の貫通孔１３を通過させ、可動ウィング２を通過する部分にばね３を装着して使用に備え、次いで、アーチワイヤフック２１を引き下げることによりアーチワイヤ４を準備してアーチワイヤ４を留める。ばねからのばね力により、ブラケット本体は、アーチワイヤ４の一面に近接して引っ張られる傾向があり、それにより、矯正される歯へ一定のばね力をもたらす。
【００１８】
矯正される歯表面を揃える、かつ溝部内のアーチワイヤと歯表面との間の長距離およびアーチワイヤの遠くまで及ぶ力に起因する、隣接する歯の接点を正確に調整することが容易でないという従来技術の欠点を回避する、ブラケット座１１の補助的管状孔１４が歯表面に近接して配置されており、高弾性アーチワイヤが補助的管状孔１４を通過すると自然に生じる歯列矯正力を歯表面に直接かけることができることが、図から分かる。さらに、ブラケット本体１のブラケット座１１および可動ウィング２はどちらも、舌側歯表面に適合するアーチ構造であり、このアーチ構造は、歯表面上に固定することができるだけでなく、より大きな歯列矯正力をもたらすことができる。
【００１９】
図３および図４を参照すると、可動ウィング２は、アーチワイヤフック２１の背部から反対方向に延在している結束フック２３と一体化されているアーチワイヤフック２１を有し、固定ウィング１２は、ブラケット座１１に対向している、側部にある結束ウィング１５と一体化されており、その両方が互いに協働して完全な結束ウィングを形成し、結束リングのための特別な結束位置をもたらす。
【００２０】
図５を参照すると、結束ウィングを備えた、動作中のリンガルブラケットの図である。結束リング５を結束ウィング１５と結束フック２３との間に結束して歯列矯正力を増大させることができるが、この歯列矯正力は、ばね３のばね力に結束リング５からの弾性力を加えたものである。臨床的に、ばね３および結束リング５は、矯正後期に、単独でまたは組み合わせて使用することができる。３つの選択により、種々の患者に対応する異なる歯列矯正力がもたらされ、したがって、歯列矯正器の不変性という従来の欠点を補償する。
【００２１】
可動ウィング２の固定部２２は、ばね３が滑り出るのを制限することを目的として種々の構造とすることができ、ばね力の力点とすることができる。固定部２２は、係合し制限する役割を果たすように、図５に示されているＴ形構造とすることができ、または図６に示されている通り、固定部２２は、係合し制限する役割を果たすように、ばね３の一端を押圧する変形した曲げ部であり、または図７に示されている通り、固定部２２は、図に点線で示されている通り変形し反対方向に外側に曲がることができ、その結果、ばね３の端部が二又の曲げ変形部に当接して保持されることが可能である、二又構造であり、または図８に示されている通り、固定部２２は、ばね３の端部が通過して保持されることが可能である貫通孔であり、または図９に示されている通り、固定部２２は、ばね３が全体的に回転して溝穴部の側縁部上にスリーブ状に嵌まっている溝穴部であり、前記溝穴部の固定部２２は、広い側縁部および狭い側縁部である２つの側縁部を有し、ばね３は、どちらかの側部を選択してスリーブ状に嵌まって保持されることが可能である。臨床操作中、同様に、最初に可動ウィングの固定部２２に固定ウィングの貫通孔１３を通過させることができ、次いで、ばね３を回転させ、可動ウィング上にスリーブ状に嵌めることができ、一端は固定ウィング１２に当接して係合されており、他端は固定部２２の溝穴部の端部に当接して係合されている。
【００２２】
図１０および図１１を参照すると、可動ウィングのアーチワイヤフック２１は、アーチワイヤフックの背部に溝部２４および結束フック２３を備えて整然と配置されている。アーチワイヤ４は溝部２４内に配設することができ、結束リング５により結合することが可能であり、水平歯列矯正力をもたらすことができ、一方、ばね３はまた、背部に歯列矯正力をもたらすことができる。アーチワイヤ４がアーチワイヤフック２１と協働する場合、臨床操作のために垂直歯列矯正力を得て、様々な状況に応じて組み合わせて利用することができる。
【００２３】
本発明の最も明らかな特徴は、ばねのばね力を活用することであり、このばね力は歯に一定にかけられて、頻繁に交換することなく自動的な一定の結束を形成し、かつアーチワイヤが可動ウィングのアーチワイヤフックにより留められることにより、初期段階でアーチワイヤを溝部内に入れる困難を克服することができ、歯列矯正治療の期間中ずっと取り外すことはできない。したがって、また、結束用の結束ウィングは省くことができ、特に厚さにおいてより小さい体積とすることができ、その結果、口内の異物感が薄れ、より衛生的になる。本発明の別の特徴が、ばねがねじピッチ間隙（ｔｈｒｅａｄ  ｐｉｔｃｈ  ｃｌｅａｒａｎｃｅ）を通して装着され、それにより、異なる弾性係数を有するばねまたは種々の構造の可動ウィングの交換が容易になることである。
【符号の説明】
【００２４】
１  ブラケット本体
２  可動ウィング
３  ばね
４  アーチワイヤ
５  結束リング
１１  ブラケット座
１２  固定ウィング
１３  貫通孔
１４  補助的管状孔
１５  結束ウィング
２１  アーチワイヤフック
２２  固定部
２３  結束フック
２４  溝部
【図１】
0005943917.tif 000002
【図２】
0005943917.tif 000003
【図３】
0005943917.tif 000004
【図４】
0005943917.tif 000005
【図５】
0005943917.tif 000006
【図６】
0005943917.tif 000007
【図７】
0005943917.tif 000008
【図８】
0005943917.tif 000009
【図９】
0005943917.tif 000010
【図１０】
0005943917.tif 000011
【図１１】
0005943917.tif 000012